(57)【要約】  本明細書には、ドキュメントの処理手段と再統合手段を実現するための方法およびシステムが説明されている。ドキュメントは１つまたは２つ以上のセクションに分割され、フォーマッティングが除去される。１つまたは２つ以上のセクションへのリンクを含む圧縮ドキュメントが生成される。この圧縮ドキュメントはユーザに表示する目的でモバイル装置に送信される。ユーザは、リンクの１つまたは２つ以上を選択することによってセクションの１つまたは２つ以上をダウンロードすることを選択することができる。あるセクションがダウンロードされると、そのセクションは、ユーザによって修正することができる。その後、１つまたは２つ以上の修正セクションはモバイル装置から送信することができる。その後、１つまたは２つ以上の修正セクションは未修正セクションと再統合され、改訂ドキュメントが形成される。
2009531774.tif 000002
【特許請求の範囲】
【請求項１】
第１のバージョンのドキュメントを１つまたは２つ以上のセクションに分割するステップと、
前記セクションの１つまたは２つ以上からフォーマッティングを除去するステップと、
前記１つまたは２つ以上のセクションに対応する１つまたは２つ以上のリンクを含む圧縮バージョンのドキュメントを生成するステップと、
前記圧縮バージョンのドキュメントを表示のためにモバイル装置に送信するステップと、
修正バージョンのドキュメントを前記モバイル装置から受信するステップであって、前記修正バージョンはセクションの１つまたは２つ以上に対する１つまたは２つ以上の編集を含んでいる受信するステップと、
前記修正した１つまたは２つ以上のセクションを未修正セクションと再統合して改訂ドキュメントを形成するステップと、
を含むことを特徴とする方法。
【請求項２】
１つまたは２つ以上のセクションを再統合して改訂ドキュメントを形成するステップは、修正バージョンのドキュメントの各セクションを第１のバージョンのドキュメントの各セクションと比較して、各セクションに変更があるかどうかを判断することを含むことを特徴とする請求項１に記載の方法。
【請求項３】
改訂ドキュメントは以前に除去されたフォーマッティングを含んでいることを特徴とする請求項１に記載の方法。
【請求項４】
１つまたは２つ以上のセクションは、第１のバージョンのドキュメントの中の１つまたは２つ以上のヘッダに対応していることを特徴とする請求項１に記載の方法。
【請求項５】
１つまたは２つ以上のセクションは、第１のバージョンのドキュメントの中の１つまたは２つ以上のパラグラフに対応していることを特徴とする請求項１に記載の方法。
【請求項６】
１つまたは２つ以上のセクションは、第１のバージョンのドキュメントの中の１つまたは２つ以上のページに対応していることを特徴とする請求項１に記載の方法。
【請求項７】
前記リンクの１つまたは２つ以上は、対応するセクションのファイルサイズを示していることを特徴とする請求項１に記載の方法。
【請求項８】
前記リンクの１つまたは２つ以上は、対応するセクションの中の１つまたは２つ以上のワードを指定していることを特徴とする請求項１に記載の方法。
【請求項９】
圧縮ドキュメントの中の１つまたは２つ以上のリンクは、目次にフォーマッティングされていることを特徴とする請求項１に記載の方法。
【請求項１０】
前記１つまたは２つ以上のリンクは、テーブルへのリンクを含んでいることを特徴とする請求項１に記載の方法。
【請求項１１】
前記１つまたは２つ以上のリンクは、グラフへのリンクを含んでいることを特徴とする請求項１に記載の方法。
【請求項１２】
ユーザがドキュメントを作成することを可能にするコンピューティング装置と、
ドキュメントをコンピューティング装置から受信し、受信したドキュメントからフォーマッティングを除去し、ドキュメントを複数のセクションに分割し、複数のセクションの各々へのリンクを含んでいる圧縮ドキュメントを作成し、圧縮ドキュメントを送信するためにコンピューティング装置に結合されたサーバと、
圧縮ドキュメントを受信し、複数のセクションの各々へのリンクを含んでいる圧縮ドキュメントを表示し、ユーザの要求を受けて複数のセクションの１つをダウンロードし、ダウンロードしたセクションを表示するためにサーバに結合されたモバイル装置と、
を備えたことを特徴とするシステム。
【請求項１３】
モバイル装置は、ダウンロードしたセクションをさらに修正し、該修正セクションをサーバに送信することを特徴とする請求項１２に記載のシステム。
【請求項１４】
サーバは前記修正ドキュメントを受信し、該修正セクションを未修正セクションと再統合して改訂ドキュメントを形成し、改訂ドキュメントをコンピューティング装置に送信することを特徴とする請求項１３に記載のシステム。
【請求項１５】
装置実行可能命令を収めた１つまたは２つ以上の装置可読媒体であって、前記装置実行可能命令は、
圧縮ドキュメントをモバイル装置で受信し、前記圧縮ドキュメントは１つまたは２つ以上のセクションへの１つまたは２つ以上のリンクを有しており、
圧縮ドキュメントをユーザのために表示し、
セクションの１つをダウンロードする要求をユーザから受信し、
要求されたセクションをダウンロードして、表示し、
ダウンロードしたセクションをユーザの編集に応答して修正し、
該修正セクションをコンピューティング装置に送信する、
ことを含むステップを実行するためのものであることを特徴とする１つまたは２つ以上の装置可読媒体。
【請求項１６】
１つまたは２つ以上のリンクは、画像へのリンクを含んでいることを特徴とする請求項１５に記載の１つまたは２つ以上の装置可読媒体。
【請求項１７】
前記ステップは、画像をダウンロードし、その画像をモバイル装置のスクリーンサイズに収まるようにフォーマッティングすることを、さらに含むことを特徴とする請求項１６に記載の１つまたは２つ以上の装置可読媒体。
【請求項１８】
１つまたは２つ以上のリンクは、ビデオへのリンクを含んでいることを特徴とする請求項１５に記載の１つまたは２つ以上の装置可読媒体。
【請求項１９】
リンクの１つまたは２つ以上は、対応するセクションの中の１つまたは２つ以上のワードを指定していることを特徴とする請求項１５に記載の１つまたは２つ以上の装置可読媒体。
【請求項２０】
リンクの１つまたは２つ以上は、対応するセクションのファイルサイズを示していることを特徴とする請求項１５に記載の１つまたは２つ以上の装置可読媒体。
【発明の詳細な説明】
【背景技術】
【０００１】
携帯電話およびポケットＰＣなどのモバイル装置が増加するのに伴い、ユーザはドキュメントを読み、編集する能力を得ている。
【発明の開示】
【発明が解決しようとする課題】
【０００２】
しかし、このドキュメントを読み、編集する能力は、モバイル装置で利用可能なスクリーンサイズが限られているため制約を受けている。さらに、グラフや画像、埋込みオーディオおよび／またはビデオを含んでいる大きなドキュメントをダウンロードすることも、課題になっている。大きなドキュメントをダウンロードするには長時間を要するだけでなく、モバイル装置のストレージに制限があるためにダウンロードの制約にもなっている。
【課題を解決するための手段】
【０００３】
以下は、本発明の開示内容の基本的理解を容易にするために開示内容を簡単に説明したものである。この簡単な説明は開示内容を網羅的に概説したものではなく、本発明の重要かつ基本的なエレメントを特定するものでも、本発明の範囲を限定するものでもない。その唯一の目的は、下述するより詳細な説明の序論として、本明細書に開示されている概念のいくつかを簡単に紹介することである。
【０００４】
本明細書には、ドキュメント処理手段と再統合手段のための方法とシステムを目的とした技術および技法が説明されている。ここで説明している技術の一実施形態によれば、ドキュメントは１つまたは２つ以上のセクションに分割され、フォーマッティングが除去される。１つまたは２つ以上のセクションへの１つまたは２つ以上のリンクを含む圧縮ドキュメントが生成される。この圧縮ドキュメントは、ユーザに表示する目的でモバイル装置に送信される。ユーザは、リンクの１つまたは２つ以上を選択することによってセクションの１つまたは２つ以上をダウンロードする。その後、この修正セクションはモバイル装置から送信することができる。また、修正セクションは未修正セクションと再統合して改訂ドキュメントを形成することができる。
【発明を実施するための最良の形態】
【０００５】
付随する特徴の多くはその理解を容易にすると共に、添付図面に関連して考慮されている以下の詳細説明を参照して理解しやすく説明されている。
【０００６】
本発明の理解を容易にするために、以下では添付図面を参照して詳しく説明されている。
【０００７】
添付図面において、類似部品は類似参照符号を用いて示されている。
【０００８】
添付図面と関連付けて下述されている詳細説明は本発明の例を説明したものであり、本発明の例を構築し、または利用できる唯一の形態を表わしたものではない。以下の説明は、本発明の機能の一例および本発明の一例を構築し、操作するためのステップの流れを述べている。しかし、同一または同等の機能および手順は異なる態様で実施されることもできる。
【０００９】
図１は、ドキュメントの処理手段と再統合手段を実現するための例示システム１００を示すブロック図である。システム１００は、モバイル装置１０２およびコンピューティング１３０に結合されて、やりとりするサーバ１２０を備えている。モバイル装置１０２は、プロセッサ１０４、グラフィカルユーザインタフェース１０６、ストレージ１０８、トランスミッタ１１０、およびレシーバ１１２を装備している。ドキュメントはユーザによってコンピューティング装置１３０上に作成することができる。ドキュメントは１つまたは２つ以上のセクションに分割されている。例えば、ドキュメントはヘッダやページ、パラグラフ、目次に基づいて分割されることもあれば、ドキュメント内の他の識別可能な単位で分割されることもある。各セクションには、ユニークな番号とバージョンを付けることができる。フォーマッティングをドキュメントから除去することができる。例えば、特殊フォント、パラグラフフォーマッティング、およびその他のタイプのフォーマッティングを除去することができる。オリジナルフォーマッティングを保存しておき、再統合プロセスの中で使用することができる。オリジナルフォーマッティングはオリジナルバージョンとして保存しておくことも可能である。
【００１０】
圧縮ドキュメントはオリジナルドキュメントから生成される。この圧縮ドキュメントは、オリジナルドキュメントのセクションの各々へのリンクを含んでいる。例えば、オリジナルドキュメントがそのドキュメントの中のヘッダに基づいてセクションに分割されている場合は、圧縮ドキュメントは各ヘッダへのリンクを含み、各リンクは対応するヘッダの名前を指定している。各リンクは、対応するセクションの中の１つまたは２つ以上のワードを指定していることもある。例えば、ドキュメントがパラグラフに基づいてセクションに分割されている場合は、各リンクは、各々の対応するパラグラフの先頭の１つまたは２つ以上のワードを指定していることがある。各リンクは、対応するセクションのファイルサイズを示していることもある。
【００１１】
オリジナルドキュメントの中にテキスト以外のアイテムがあるときは、そのアイテムの各々についてリンクが圧縮ドキュメントに含まれていることがある。例えば、テーブル、グラフ、画像、オーディオまたはビデオについてリンクが含まれていることがある。各リンクは対応するアイテムのファイルサイズを示していることもある。
【００１２】
圧縮ドキュメントが生成されたあと、圧縮ドキュメントは、１０２のようなモバイル装置に送信することができる。モバイル装置１０２は、圧縮ドキュメントをユーザのために表示することができる。ユーザは、対応するリンクを選択することによってドキュメントのセクションをダウンロードすることを選択することができる。セクションのファイルサイズがリンクの中で示されるので、ユーザはそのセクションがどれだけ大きいか、そのセクションをダウンロードするのにどれだけの時間がかかるかを、凡そで知ることができる。ユーザは、対応するリンクを選択することによってドキュメントの中のテーブル、グラフ、画像、オーディオ、または他のアイテムをダウンロードすることを選択することもできる。ユーザは１つのセクションまたはアイテムをダウンロードすることを選択することも、複数のセクションまたはアイテムをダウンロードすることを選択することも、ドキュメント全体を一度にダウンロードすることを選択することもできる。
【００１３】
あるセクションがダウンロードされたあと、モバイル装置はそのセクションをユーザのために表示することができる。その後、ユーザはそのセクションを修正することができる。その後、ユーザは、修正ドキュメントをオリジナルドキュメントの作成者に送り返すことを選択することができる。その後、修正ドキュメントはモバイル装置１０２から送信することができる。サーバ１２０は修正ドキュメントを受信し、修正ドキュメントの各セクションをオリジナルドキュメントの各セクションと比較する。あるセクションが変更されていれば、モバイル装置から受信した修正セクションがオリジナルセクションを置き換えるために使用される。ドキュメントのすべてのセクションが比較され、修正セクションが置き換えられたあと、サーバ１２０はドキュメントを再統合する。以前に除去されたフォーマッティングは、その後ドキュメントに戻すことができる。再統合ドキュメントはオリジナルドキュメントの改訂バージョンとして保存しておくことができる。その後、再統合ドキュメントはコンピューティング装置１３０に送ることができる。その後、再統合ドキュメントはオリジナルドキュメントの作成のために表示することができる。ドキュメントのオリジナルバージョンは以前に保存されているので、再統合ドキュメントを見たあと、オリジナルドキュメントの作成者はドキュメントのオリジナルバージョンに戻すことを選択することができる。
【００１４】
図２と図３は、ドキュメントの処理と再統合のための例示プロセスを示すフロー図である。図２と図３の説明が他の図を参照して行なわれていても、当然に理解されるように、図２と図３に図示の例示プロセスは、いずれの特定図のシステムまたは他の内容とも関連付けられることを目的としていない。さらに、当然に理解されるように、図２と図３の例示プロセスは特定の操作実行順序を示しているが、１つまたは２つ以上の代替的な実施形態では、操作は異なる順序になっていることがある。さらに、図２と図３の例示プロセスに図示されているステップとデータのいくつかは、実施形態によっては不要であることもあるので、省かれていることがある。最後に、図２と図３の例示プロセスは複数の離散的ステップを含んでいるが、当然に理解されるように、環境によっては、これらの操作が組み合わされて、同時に実行されることもある。
【００１５】
図２は、ドキュメントをセクションに分割し、再統合するための例示プロセスを示すフロー図である。２１０において、第１のバージョンのドキュメントが１つまたは２つ以上のセクションに分割される。これらのセクションは、ヘッダ、パラグラフ、ページ、またはドキュメントの中の他の単位またはアイテムに対応している。２２０において、セクションの１つまたは２つ以上からフォーマッティングを除去することができる。例えば、ドキュメントの中の特殊フォント、パラグラフフォーマッティング、または他のフォーマッティングを除去することができる。２３０において、圧縮バージョンのドキュメントが生成される。この圧縮バージョンのドキュメントは１つまたは２つ以上のセクションに対応する１つまたは２つ以上のリンクを含んでいる。リンクは対応するセクションの中の１つまたは２つ以上のワードを指定することができる。１つまたは２つ以上のリンクは、テーブル、グラフ、画像、オーディオまたはビデオへのリンクを含むことが可能である。リンクは、対応するセクションまたはリンクされたアイテムのファイルサイズを指定することもできる。２４０において、圧縮バージョンのドキュメントをモバイル装置に送信することができる。モバイル装置はドキュメントを処理し、そのドキュメントをユーザのために表示することができる。ユーザは、セクションの１つまたは２つ以上をダウンロードすることを選択することができる。あるセクションの全テキストがダウンロードされると、ユーザはそのセクションを読み、および／または編集することができる。その後、ユーザは修正バージョンのドキュメントを送り返すことを選択することができる。２５０において、修正バージョンのドキュメントをモバイル装置から受信することができる。モバイル装置から受信した修正バージョンのドキュメントの各セクションが第１のバージョンのドキュメントの各セクションと比較され、なんらかの変更があるかどうか判断される。あるセクションが変更されていれば、修正バージョンのそのセクションが、第１のバージョンのそのセクションと置き換えるために使用されることができる。各セクションが比較され、修正セクションが置き換えられたあと、２６０において、セクションは再統合されて、改訂ドキュメントが作成される。２２０で除去されたフォーマッティングは改訂ドキュメントに戻すことができる。その後、改訂ドキュメントは、第１のバージョンのドキュメントを作成者に表示することができる。
【００１６】
図３は、セクション毎に分割されたドキュメントを表示し、修正するための例示プロセスを示すフロー図である。３１０において、圧縮ドキュメントがモバイル装置で受信される。圧縮ドキュメントには、１つまたは２つ以上のセクションおよび／または１つまたは２つ以上のダウンロード可能アイテムへの１つまたは２つ以上のリンクを含めることができる。３２０において、圧縮ドキュメントはユーザのために表示される。ユーザは、対応するリンクを選択することによってセクションまたはアイテムの１つまたは２つ以上をダウンロードすることを選択することができる。３３０において、セクションまたはアイテムの１つまたは２つ以上をダウンロードするユーザの要求がモバイル装置によって受信される。３４０において、要求した１つまたは２つ以上のセクションまたはアイテムがダウンロードされ、ユーザのために表示される。ユーザはダウンロードしたセクションを修正することができる。例えば、ユーザは本件特許出願人のOffice for Windows（登録商標）Mobileを使用して、ダウンロードしたセクションを読んで、修正することができる。３５０において、ダウンロードしたセクションはユーザの編集に応じて修正される。３６０において、修正セクションはコンピューティング装置に送信することができる。修正セクションは未修正セクションと再統合して、改訂ドキュメントを形成することができる。その後、改訂ドキュメントをオリジナルドキュメントの作成者に表示することができる。
【００１７】
図４は例示ドキュメント４００を示すスクリーンショットである。この例示ドキュメントには、Lorem ipsum、Ut wisi、Duis autem vel eum、およびNam liber temporなどの、いくつかのヘッダが含まれている。これらのヘッダは、ドキュメントの先頭にある目次にもリストされている。ドキュメント４００は、ドキュメントの中のヘッダに基づいてセクションに分割することができる。例えば、セクション４０２は、ヘッダ“Lorem ipsum”の個所にテキストを含み、セクション４０４は、ヘッダ“Ut wisi”の個所にテキストを含み、セクション４０６は、ヘッダ“Duis autem vel eum”の個所にテキストを含み、セクション４０８は、ヘッダ“Nam liber tempor”の個所にテキストを含んでいる。その後、各セクションへのリンクを含む圧縮ドキュメントを生成することができる。その後、圧縮ドキュメントをモバイル装置に送信し、図５に示すようにユーザに表示することができる。
【００１８】
図５は、モバイル装置から表示された例示圧縮ドキュメント５００を示すスクリーンショットである。この圧縮ドキュメント５００に含まれる各リンクは、図４に示すドキュメント４００のセクションに対応している。各リンクは対応するセクションのヘッダの名前を指定している。例えば、リンク５０２は、対応するセクション４０２のヘッダであるヘッダ“Lorem ipsum”を指定しており、リンク５０４は、対応するセクション４０４のヘッダであるヘッダ“Ut wisi”を指定しており、リンク５０６は、対応するセクション４０６のヘッダであるヘッダ“Duis autem vel eum”を指定しており、リンク５０８は、対応するセクション４０８のヘッダであるヘッダ“Nam liber tempor”を指定している。各リンクは、対応するセクションのページ番号を指定していることもある。例えば、モバイル装置から見たとき、リンク５０４は、ヘッダ“Ut wisi”をもつセクションがドキュメントのページ１から始まることを示しており、リンク５０６は、ヘッダ“Duis autem vel eum”をもつセクションがページ２から始まることを示している。
【００１９】
ユーザは、対応するリンクを選択することによってセクションをダウンロードすることを選択することができる。また、ユーザは、複数のセクションをダウンロードすることを選択することも、ドキュメント全体をダウンロードすることを選択することもできる。その後、選択した１つまたは２つ以上のセクションがダウンロードされ、各選択したセクションの全テキストがユーザに表示される。例えば、ユーザがリンク５０２を選択した場合は、ドキュメント４００の選択したセクション４０２がダウンロードされ、セクション４０２の全テキストが次のように表示される。“Dolor sit amet, consectetuer adipiscing elit, sed diam nonummy nibh euismod tincidunt ut laoreet dolore magna aliquam erat volutpat”。あるセクションがダウンロードされると、ユーザはそのセクションを読んで、編集することができる。その後、ユーザは、改訂したセクションをオリジナルドキュメントの作成者に送信することを選択することができる。
【００２０】
図６は例示ドキュメント６００を示すスクリーンショットである。ドキュメント６００はグラフ図６０２を含んでいる。ドキュメント６００は、“DUIS AUTEM VEL”および“DOLORE MAGNA ALIQUAM ERAT”のようなヘッダに基づいて分割することができる。ヘッダの各々へのリンクおよびグラフ図へのリンクを持つ圧縮ドキュメントを生成することができる。これとは別に、このドキュメントは短いので、圧縮ドキュメントはグラフ図へのリンクを持つドキュメントの全テキストを含んでいることもある。圧縮ドキュメントは、図７に示すように表示のためにモバイル装置に送ることができる。
【００２１】
図７は、モバイル装置から表示された例示圧縮ドキュメント７００を示すスクリーンショットである。この圧縮ドキュメント７００は、図６に示すドキュメント６００の全テキストおよびグラフ図６０２へのリンク７０２を含んでいる。ユーザは、あるページから次のページへスクロールして、ドキュメントを読み、および／または編集することができる。グラフ図を見るには、ユーザは、“図１: Loren & Ipsum (38k)”と名付けたリンク７０２を選択することができる。リンク７０２はグラフ図６０２のサイズ(38k)を指定しているため、ユーザは、グラフ図がどれだけの大きさで、グラフ図をダウンロードするのにどれだけの時間がかかるかを、凡そで知ることができる。ユーザがリンク７０２を選択すると、グラフ図６０２がダウンロードされ、その後ユーザにモバイル装置から表示される。ユーザがそのドキュメントを修正した場合、ユーザは修正したドキュメントをオリジナルドキュメントの作成者に送信することができる。
【００２２】
図８は例示プレゼンテーションドキュメント８００を示すスクリーンショットである。タイトル８０２、黒丸記号８０４、８０６、８０８、８１０、８１２、およびグラフ図８１４へのリンクを含んでいる圧縮ドキュメントを生成することができる。その後、この圧縮ドキュメントは、図９に示すように表示目的にモバイル装置に送信することができる。
【００２３】
図９は、モバイル装置から表示された例示圧縮プレゼンテーションドキュメント９００を示すスクリーンショットである。この圧縮プレゼンテーションドキュメント９００は、図８に示すプレゼンテーションドキュメント８００の中のタイトルと黒丸記号に対応するタイトルと黒丸記号を含んでいる。例えば、タイトル９０２はタイトル８０２に対応し、黒丸記号９０４、９０６、９０８、９１２は、それぞれ黒丸記号８０４、８０６、８０８、８１０、８１２に対応している。圧縮ドキュメント９００には、グラフ図８１４へのリンク９１４も含まれている。ユーザは、“図１: Lorem & Ipsum (38k)”と名付けたリンク９１４を選択することによってグラフ図８１４をダウンロードすることを選択することができる。グラフ図８１４のサイズを示すためにファイルサイズ(38k)が表示される。ダウンロードされると、グラフ図８１４はユーザのために表示することができる。ユーザは、プレゼンテーションドキュメントを編集し、その後、修正したプレゼンテーションドキュメントをオリジナルプレゼンテーションドキュメントの作成者に送り返すことを選択することができる。
【００２４】
図１０は、本発明のいくつかの側面を実現することができる例示コンピューティング環境を示す図である。当然に理解されるように、このコンピューティング環境１０００は、本明細書に説明されている種々の技術を採用できる適当なコンピューティング環境の単なる一例であり、本明細書に説明されている技術の使用または機能の範囲に関してなんらの制限があることを示唆するものではない。また、このコンピューティング環境１０００はそこに図示されているコンポーネントのすべてを必ずしも必要とするものでもない。
【００２５】
本明細書に説明されている技術は、他の多数の汎用または特殊目的コンピューティング環境または構成と共に動作させることが可能である。本明細書に説明されている技術と共に使用するのに適している周知コンピューティング環境および／または構成の例としては、パーソナルコンピュータ、サーバコンピュータ、ハンドヘルドまたはラップトップ装置、タブレット装置、マルチプロセッサシステム、マイクロプロセッサベースのシステム、セットトップボックス、プログラマブルコンシューマエレクトロニクス、ネットワークＰＣ、ミニコンピュータ、メインフレームコンピュータ、上記に挙げたシステムまたは装置のいずれかを含む分散コンピューティング環境などがあるが、これらに限定されない。
【００２６】
図１０を参照して説明すると、コンピューティング環境１０００は汎用コンピューティング装置１０１０を含んでいる。コンピューティング装置１０１０のコンポーネントとしては、処理装置１０１２、メモリ１０１４、ストレージ１０１６、入力装置１０１８、出力装置１０２０および通信コネクション１０２２があるが、これらに限定されない。
【００２７】
処理装置１０１２は、１つまたは２つ以上の汎用または特殊目的プロセッサ、ＡＳＩＣ、またはプログラマブルロジックチップを装備することができる。コンピューティング装置の構成とタイプに応じて、メモリ１０１４は揮発性（ＲＡＭなど）、不揮発性（ＲＯＭ、フラッシュメモリなど）またはこれらを任意に組み合わせたものにすることができる。コンピューティング装置１０１０は、追加ストレージ（取り外し可能および/または取り外し不能）を装備することも可能であり、その中には、磁気または光ディスクまたはテープが含まれているが、これらに限定されない。このような追加ストレージは図１０にストレージ１０１６として示されている。コンピュータ記憶媒体としては、コンピュータ可読命令、データ構造、プログラムモジュールまたは他のデータなどの情報を記録するための任意の方法または技術で実現された揮発性および不揮発性の取り外し可能および取り外し不能媒体がある。メモリ１０１４とストレージ１０１６はコンピュータ記憶媒体の一例である。コンピュータ記憶媒体としては、ＲＡＭ、ＲＯＭ、ＥＥＰＲＯＭ、フラッシュメモリや他のメモリ技術、ＣＤ−ＲＯＭ、ＤＶＤ(digital versatile disk)や他の光ストレージ、磁気カセット、磁気テープ、磁気ディスクストレージや他の磁気記憶装置、または必要とする情報をストアするために使用可能で、コンピューティング装置１０１０によってアクセス可能である任意の他の媒体があるが、これらに限定されない。このようなコンピュータ記憶媒体は、いずれもコンピューティング装置１０１０の一部であることもある。
【００２８】
コンピューティング装置１０１０は、コンピューティング装置１０１０が、例えば、ネットワーク１０３０を通して他のコンピューティング装置と通信するように、他の装置と通信するのを可能にする通信コネクション１０２２を備えていることもある。この通信コネクション１０２２は通信媒体の一例である。通信媒体は、搬送波などの変調データ信号または他のトランスポートメカニズムでコンピュータ可読命令、データ構造、プログラムモジュールまたは他のデータを具現化しているのが一般的であり、その中には任意の情報配信媒体が含まれている。ここで「変調データ信号(modulated data signal」の用語は、その特性の１つまたは２つ以上が信号の中で情報を符号化するような形でセットまたは変更されている信号を意味している。例を挙げると、通信媒体には、ワイヤド（有線）ネットワークや直接ワイヤドコネクションのようなワイヤド媒体、および音響、無線周波数、赤外線および他のワイヤレス（無線）媒体のようなワイヤレス媒体が含まれているが、これらに限定されない。本明細書の中で用いられている「コンピュータ可読命令(computer readable media)」の用語には記憶媒体が含まれている。
【００２９】
コンピューティング装置１０１０は、キーボード、マウス、ペン、音声入力装置、タッチ入力装置、および／または他の任意の入力装置のような出力装置を備えていることもある。１つまたは２つ以上のディスプレイ、スピーカ、プリンタ、および／または他の任意の出力装置のような出力装置が含まれていることもある。
【００３０】
いくつかの例示実施形態を中心に本発明を説明してきたが、この分野の通常知識を有するものならば理解されるように、本発明は上述した実施形態に限定されるものではなく、請求項に記載の本発明の精神と範囲内において改良と変更を加えて実施することも可能である。従って、上述した説明は限定的ではなく、例示的なものである。
【図面の簡単な説明】
【００３１】
【図１】ドキュメント処理と再統合を実現するための例示システムを示すブロック図である。
【図２】ドキュメントをセクションに分割し、再統合するための例示プロセスを示すフロー図である。
【図３】セクションに分割したドキュメントを表示し、修正するための例示プロセスを示すフロー図である。
【図４】例示ドキュメントを示すスクリーンショットである。
【図５】モバイル装置から表示された例示圧縮ドキュメントを示すスクリーンショットである。
【図６】例示ドキュメント示すスクリーンショットである。
【図７】モバイル装置から表示された例示圧縮ドキュメントを示すスクリーンショットである。
【図８】例示プレゼンテーションドキュメントを示すスクリーンショットである。
【図９】モバイル装置から表示された例示圧縮プレゼンテーションドキュメントを示すスクリーンショットである。
【図１０】本発明のいくつかの側面を実現することができる例示コンピューティング環境を示す図である。
【図１】
2009531774.tif 000003
【図２】
2009531774.tif 000004
【図３】
2009531774.tif 000005
【図４】
2009531774.tif 000006
【図５】
2009531774.tif 000007
【図６】
2009531774.tif 000008
【図７】
2009531774.tif 000009
【図８】
2009531774.tif 000010
【図９】
2009531774.tif 000011
【図１０】
2009531774.tif 000012
【国際調査報告】
2009531774.tif 000013
2009531774.tif 000014